(57)【要約】【課題】  外部装置（入力機器以外の装置）にて配信時の設定を制限することにより、ユーザ操作の向上を実現することが可能な情報配信システム、情報配信装置、情報配信方法及びプログラムを提供する。【解決手段】  所定の情報を取得する入力機器と、入力機器と連携し、入力機器が取得した情報を所定の配信先へ配信する情報配信装置と、を有する情報配信システムであって、情報配信装置は、入力機器の固有情報を取得し、固有情報に基づいて、情報配信を実行する際の設定を制限する。【選択図】  図１
2007034503.tif 000002
【特許請求の範囲】
【請求項１】
所定の情報を取得する入力機器と、該入力機器と連携し、該入力機器が取得した該情報を所定の配信先へ配信する情報配信装置と、を有する情報配信システムであって、
前記情報配信装置は、
前記入力機器の固有情報を取得し、該固有情報に基づいて、情報配信を実行する際の設定を制限することを特徴とする情報配信システム。
【請求項２】
前記情報配信装置は、前記設定内容を示す設定情報を格納する記憶手段を有することを特徴とする請求項１記載の情報配信システム。
【請求項３】
前記情報配信装置は、前記設定情報に基づいて前記入力機器に表示する画面を生成することを特徴とする請求項１又は２記載の情報配信システム。
【請求項４】
ユーザ情報を用いてユーザ認証を行う認証装置をさらに有し、
前記情報配信装置は、前記固有情報及び前記ユーザ情報に基づいて、配信を実行する際の設定を制御することを特徴とする請求項１から３のいずれか１項に記載の情報配信システム。
【請求項５】
請求項１から４のいずれか１項に記載の情報配信システムで用いられることを特徴とする情報配信装置。
【請求項６】
所定の情報を取得する入力機器と、該入力機器と連携し、該入力機器が取得した該情報を所定の配信先へ配信する情報配信装置と、を用いて行う情報配信方法であって、
前記情報配信装置は、
前記入力機器の固有情報を取得し、該固有情報に基づいて、情報配信を実行する際の設定を制限することを特徴とする情報配信方法。
【請求項７】
前記情報配信装置は、前記設定内容を示す設定情報を格納することを特徴とする請求項６記載の情報配信方法。
【請求項８】
前記情報配信装置は、前記設定情報に基づいて前記入力機器に表示する画面を生成することを特徴とする請求項６又は７記載の情報配信方法。
【請求項９】
前記情報配信装置は、前記固有情報及びユーザ情報に基づいて、配信を実行する際の設定を制御することを特徴とする請求項６から８のいずれか１項に記載の情報配信方法。
【請求項１０】
入力機器に所定の情報を取得させ、情報配信装置に該入力機器と連携し、該入力機器が取得した該情報を所定の配信先へ配信させるプログラムであって、
前記情報配信装置に、
前記入力機器の固有情報を取得する処理と、
該固有情報に基づいて、情報配信を実行する際の設定を制限する処理と、
を実行させるプログラム。
【請求項１１】
前記情報配信装置に、前記設定内容を示す設定情報を格納する処理を実行させる請求項１０記載のプログラム。
【請求項１２】
前記情報配信装置に、前記設定情報に基づいて前記入力機器に表示する画面を生成する処理を実行させる請求項１０又は１１記載のプログラム。
【請求項１３】
前記情報配信装置に、前記固有情報及びユーザ情報に基づいて、配信を実行する際の設定を制御する処理を実行させる請求項１０から１２のいずれか１項に記載のプログラム。
【発明の詳細な説明】
【技術分野】
【０００１】
本発明は、情報書配信において、外部装置にて配信時の設定を制限することにより、ユーザ操作の向上を実現する情報配信システム、情報配信装置、情報配信方法及びプログラムに関する。
【背景技術】
【０００２】
従来、情報配信システムとして、デジタル複合機（Multi Function Printer：以下ＭＦＰという）等の入力機器にて入力した文書データを、ネットワーク上のサーバである文書配信装置を介して、ユーザが使用するＰＣ等に配信する文書配信システムがある。
このような従来技術例として、ユーザが使用する情報機器の操作履歴を用いてプロファイルを生成することにより、ユーザに負担をかけずに情報配信を行うことができる「情報配信システム」がある（例えば、特許文献１参照）。
【特許文献１】特開２００４−３０６１４号公報
【発明の開示】
【発明が解決しようとする課題】
【０００３】
従来、例えば、文書配信装置とＭＦＰとが連携した場合、ＭＦＰの機能に制限はなく自由な設定で文書の配信が行える。つまり、ＭＦＰの所定の機能において、スキャン時の解像度、２値／多値、用紙サイズ等が自由に選択できるものであった。
【０００４】
しかしながら、従来の文書配信システムでは、配信を実行する際の設定について、文書配信装置側で入力機器ごとに制限をかけ、入力機器にその情報を表示するといったことはできなかった。よって、配信時の設定情報を入力機器ごとに制限することはできなかった。
【０００５】
本発明は、上記事情に鑑みてなされたものであり、外部装置（入力機器以外の装置）にて配信時の設定を制限することにより、ユーザ操作の向上を実現することが可能な情報配信システム、情報配信装置、情報配信方法及びプログラムを提供することを目的とする。
【課題を解決するための手段】
【０００６】
かかる目的を達成するために、請求項１記載の発明は、所定の情報を取得する入力機器と、入力機器と連携し、入力機器が取得した情報を所定の配信先へ配信する情報配信装置と、を有する情報配信システムであって、情報配信装置は、入力機器の固有情報を取得し、固有情報に基づいて、情報配信を実行する際の設定を制限することを特徴とする。
【０００７】
請求項２記載の発明は、請求項１記載の発明において、情報配信装置は、設定内容を示す設定情報を格納する記憶手段を有することを特徴とする。
【０００８】
請求項３記載の発明は、請求項１又は２記載の発明において、情報配信装置は、設定情報に基づいて入力機器に表示する画面を生成することを特徴とする。
【０００９】
請求項４記載の発明は、請求項１から３のいずれか１項に記載の発明において、ユーザ情報を用いてユーザ認証を行う認証装置をさらに有し、情報配信装置は、固有情報及びユーザ情報に基づいて、配信を実行する際の設定を制御することを特徴とする。
【００１０】
請求項５記載の発明は、請求項１から４のいずれか１項に記載の情報配信システムで用いられることを特徴とする。
【００１１】
請求項６記載の発明は、所定の情報を取得する入力機器と、入力機器と連携し、入力機器が取得した情報を所定の配信先へ配信する情報配信装置と、を用いて行う情報配信方法であって、情報配信装置は、入力機器の固有情報を取得し、固有情報に基づいて、情報配信を実行する際の設定を制限することを特徴とする。
【００１２】
請求項７記載の発明は、請求項６記載の発明において、情報配信装置は、設定内容を示す設定情報を格納することを特徴とする。
【００１３】
請求項８記載の発明は、請求項６又は７記載の発明において、情報配信装置は、設定情報に基づいて入力機器に表示する画面を生成することを特徴とする。
【００１４】
請求項９記載の発明は、請求項６から８のいずれか１項に記載の発明において、情報配信装置は、固有情報及びユーザ情報に基づいて、配信を実行する際の設定を制御することを特徴とする。
【００１５】
請求項１０記載の発明は、入力機器に所定の情報を取得させ、情報配信装置に入力機器と連携し、入力機器が取得した情報を所定の配信先へ配信させるプログラムであって、情報配信装置に、入力機器の固有情報を取得する処理と、固有情報に基づいて、情報配信を実行する際の設定を制限する処理と、を実行させる。
【００１６】
請求項１１記載の発明は、請求項１０記載の発明において、情報配信装置に、設定内容を示す設定情報を格納する処理を実行させる。
【００１７】
請求項１２記載の発明は、請求項１０又は１１記載の発明において、情報配信装置に、設定情報に基づいて入力機器に表示する画面を生成する処理を実行させる。
【００１８】
請求項１３記載の発明は、請求項１０から１２のいずれか１項に記載の発明において、情報配信装置に、固有情報及びユーザ情報に基づいて、配信を実行する際の設定を制御する処理を実行させる。
【発明の効果】
【００１９】
本発明によれば、情報配信において、外部装置（入力機器以外の装置）にて配信時の設定を制限することにより、ユーザ操作の向上を実現することが可能となる。
【発明を実施するための最良の形態】
【００２０】
以下、本発明を実施するための最良の形態について添付図面を参照して詳細に説明する。
【００２１】
情報配信システムの一例として文書配信について説明する。一般的な文書配信システムは、図１に示すように、複数の入力機器（デジタル複合機等）１と、文書配信装置２と、情報機器（図示せず）と、を有し、それぞれがネットワークを介して接続される。
【００２２】
入力機器１は、原稿等の紙文書のデータを取得する機能、及び、文書配信装置２と連携して通信を行う機能を有し、スキャン等により取得した紙文書のデータを電子化し、文書データとして文書配信装置２へ送信する。入力機器１としては、例えば、デジタル複合機、スキャナ機、ファクシミリ機、コピー機、プリンタ機等が挙げられる。また、この入力機器１は、文書配信の実行の際、ユーザが各種操作入力を行うための操作入力部や文書配信やユーザ認証を行うための表示部を有する。
【００２３】
文書配信装置２は、連携する入力機器１を決定する機能、決定した入力機器１で実行する機能を指定する機能、入力機器１から送られてきた文書データを、指定された配信先の情報機器へ配信する機能を有する。
【００２４】
記憶装置４は、データベース等であり、設定情報等の各種情報を格納する。
【００２５】
配信先の情報機器は、文書配信装置から文書データを受信する情報処理装置である。例として、ユーザにより使用されるＰＣや、入力機器とは別のデジタル複合機等が挙げられる。
【００２６】
以下、入力機器１をＭＦＰ、文書配信装置をＰＣ上で動作するサーバソフトがインストールされた情報処理装置、として、従来の文書配信システムの処理について以下に述べる。
【００２７】
従来の文書配信システム次のような動作を行う。
前提条件として、文書配信システムに対応したＭＦＰがネットワーク上に存在するものとし、また、文書配信装置であるＰＣに文書配信プログラムがインストールされているものとする。
【００２８】
[連携ＭＦＰの設定]
まず、文書配信装置は、ＭＦＰ管理機能により、連携するＭＦＰを決定する。そして、そのＭＦＰで実行する機能（スキャナ配信、ＦＡＸ配信など）を決定し、決定した機能を示す情報として設定情報をＭＦＰへ通知する。また、決定したＭＦＰに対し、配信先候補の宛先を少なくとも１以上送信する。ここで、上記設定情報とは、ＭＦＰにて実行する機能のみを示す情報である。
【００２９】
[ＭＦＰ側]
ＭＦＰは、文書配信装置から受信した設定情報に基づき、文書配信装置と連携して行う機能を認識する。認識した機能を実行するための所定の操作がユーザによって開始されたら、文書配信装置から受信した宛先をオペレーションパネル等の表示部に表示する。
【００３０】
[ＭＦＰを使用した配信の例]
ユーザが紙文書をＭＦＰのスキャナ部上に置き、スキャナ機能を選択する。ＭＦＰのオペレーションパネル上に表示された宛先の中から配信を希望する宛先をユーザが選択して、スキャンを開始する。スキャン完了後、連携している文書配信装置へ電子化された文書データと、選択された宛先データとを送る。文書配信装置が、電子化された文書データ及び宛先データを受け取り、宛先の機器に設定されている配信方法に従い、電子化された文書データを配信する。
【００３１】
このように、従来では、文書配信装置とＭＦＰとが連携した場合、ＭＦＰの機能に制限はなく、文書配信装置で指定された機能について自由な設定を行って文書の配信が行える。つまり、従来は、ＭＦＰ側において、所定の機能についての詳細な設定、例えば、スキャン時の解像度、２値／多値、用紙サイズ等の設定を自由に選択できるものであった。よって、従来の文書配信システムでは、ＭＦＰ以外の装置において実行機能の詳細を設定することはできなかった。
【００３２】
以下、本発明の文書配信システムについて説明する。構成は、上記従来の文書配信システムと同様である（図１参照）。
【実施例１】
【００３３】
本実施例では、文書配信装置２において、連携するＭＦＰ１の設定を行う際に、ＭＦＰ１の詳細を示す固有情報を予め取得し、ＭＦＰ１の機能を制限する。これにより、本実施例では、文書配信装置にて、文書配信時の設定をＭＦＰごとに制限することが可能である。以下、本実施例の動作について、図２及び図３を参照して説明する。
【００３４】
[連携ＭＦＰの設定]
図２に示すように、まず、文書配信装置２において管理ツールにログオンし（ステップＳ１）、管理権限のチェックを行う（ステップＳ２）。管理権限が無い場合（ステップＳ２／権限無し）、設定操作を拒否する（ステップＳ９）。権限がある場合（ステップＳ２／権限有り）、文書配信装置２において、ＭＦＰ管理機能により、連携するＭＦＰを決定する（ステップＳ３）。従来と同様に機器情報（決定したＭＦＰがどんな機能を持っているのかを示す情報）を取得し（ステップＳ４）、次に、決定したＭＦＰの固有情報（解像度、２値／多値等、ＭＦＰの所定の機能における詳細を示す情報）が取得可能か否かを判断する（ステップＳ５）。固有情報が取得できない場合（ステップＳ５／ＮＯ）、従来と同様に、所定の機能のみを指定した設定情報をＭＦＰへ通知する（ステップＳ８）。固有情報が取得できる場合（ステップＳ５／ＹＥＳ）、決定したＭＦＰ１から、ＭＦＰ１の固有情報を取得する（ステップＳ６）。そして、文書配信装置２は、機器情報及び固有情報に基づいて、文書配信時にどの設定を許可するのか、つまり、所定の機能の決定に加え、従来ＭＦＰ側で行っていた、所定の機能における詳細についての設定を行い、設定情報を設定する（ステップＳ７）。よって、本実施例の設定情報とは、ＭＦＰにて実行する機能を示すとともに、その機能についての詳細な設定内容を示す情報である。なお、設定情報の設定についての選択操作を行えるのは、文書配信装置２の管理者のみとする。また、ステップＳ７の後、この設定情報を文書配信装置２の記憶装置４（データベース等）に保存する。そして、従来と同様に、設定情報及び宛先をＭＦＰへ通知する（ステップＳ８）。
【００３５】
[ＭＦＰからの配信時]
図３に示すように、ユーザが文書配信装置２と連携する機能を選択した場合（ステップＳ１１）、ＭＦＰ１から文書配信装置２にオペレーションパネルの表示を依頼する（ステップＳ１２）。文書配信装置２は、依頼元のＭＦＰ１の識別情報（Mac等）を取得し（ステップＳ１３）、記憶装置４において、識別情報に対応して予め格納された設定情報があるか否かを検索し（ステップＳ１４）、該当する設定情報の有無を判断する（ステップＳ１５）。設定情報がある場合（ステップＳ１５／ＹＥＳ）、文書配信装置２は、依頼があったＭＦＰ１にて許可されている設定情報のみを入力させる画面データを生成し（ステップＳ１６）、ＭＦＰへ送り返す（ステップＳ１７）。ＭＦＰ１は、文書配信装置２から受信した画面データに基づいてオペレーションパネルに画面を表示する（ステップＳ１９）。なお、ステップＳ１５において設定情報がない場合（ステップＳ１５／ＮＯ）は、文書配信装置２は、エラー情報をＭＦＰ１に送る。ＭＦＰ１は、エラー情報を受信し（ステップＳ１８）、オペレーションパネルにエラーメッセージ等を表示する（ステップＳ１９）。
【実施例２】
【００３６】
実施例２の構成は、上記実施例１の構成に加え、図４に示すように、認証システム３を有する。認証システム３は、入力機器１、文書配信装置２からの認証要求や認証者の情報（ユーザ情報）取得要求に応じてユーザ認証を行う。
【００３７】
以下、入力機器１をＭＦＰ、文書配信装置２をＰＣ上で動作するサーバソフトがインストールされた装置、認証システム３をＰＣ上で動作するサーバソフトがインストールされた情報処理装置として、処理の詳細を以下に述べる。
【００３８】
本実施例では、文書配信装置２において、連携するＭＦＰ１の設定を行う際に、ＭＦＰ１の詳細を示す固有情報及びユーザ情報を予め取得し、ＭＦＰ１の機能を制限する。これにより、本実施例では、実施例１の効果に加え、セキュリティの向上も実現することができる。以下、本実施例の動作について、図５及び図６を参照して説明する。
[連携ＭＦＰの設定]
図５に示すように、まず、文書配信装置２において管理ツールにログオンし（ステップＳ２１）、管理権限のチェックを行う（ステップＳ２２）。管理権限が無い場合（ステップＳ２２／権限無し）、設定操作を拒否する（ステップＳ２９）。権限がある場合（ステップＳ２２／権限有り）、文書配信装置２２において、ＭＦＰ管理機能により、連携するＭＦＰを決定する（ステップＳ２３）。従来と同様に機器情報（決定したＭＦＰがどんな機能を持っているのかを示す情報）を取得し（ステップＳ２４）、次に、決定したＭＦＰの固有情報（解像度、２値／多値等、ＭＦＰの所定の機能における詳細を示す情報）が取得可能か否かを判断する（ステップＳ２５）。固有情報が取得できない場合（ステップＳ２５／ＮＯ）、従来と同様に、所定の機能のみを指定した設定情報をＭＦＰ１へ通知する（ステップＳ２８）。固有情報が取得できる場合（ステップＳ２５／ＹＥＳ）、決定したＭＦＰ１からＭＦＰ１の固有情報、及び、認証システム３からユーザ情報を取得する（ステップＳ２６）。そして、文書配信装置２は、機器情報、固有情報及びユーザ情報に基づいて、文書配信時にどの設定を許可するのか、つまり、所定の機能の決定に加え、従来ＭＦＰ側で行っていた、所定の機能における詳細についての設定を行い、設定情報を設定する（ステップＳ２７）。よって、本実施例の設定情報とは、ＭＦＰにて実行する機能を示すとともに、その機能についての詳細な設定内容を示す情報である。なお、設定情報の設定についての選択操作を行えるのは、文書配信装置２の管理者のみとする。また、ステップＳ７の後、この設定情報を文書配信装置２の記憶装置４（データベース等）に保存する。そして、従来と同様に、設定情報及び宛先をＭＦＰへ通知する（ステップＳ２８）。
【００３９】
[ＭＦＰからの配信時]
図６に示すように、ユーザが文書配信装置２と連携する機能を選択した場合（ステップＳ３１）、ＭＦＰ１から文書配信装置２にオペレーションパネルの表示を依頼する（ステップＳ３２）。この時、ユーザ情報も一緒に文書配信装置２へ渡す。文書配信装置２は、依頼元のＭＦＰ１の識別情報（Mac等）、及び、ユーザ情報を取得し（ステップＳ３３）、記憶装置４において、識別情報及びユーザ情報に対応した設定情報があるか否かを検索し（ステップＳ３４）、該当する設定情報の有無を判断する（ステップＳ３５）。設定情報がある場合（ステップＳ１５／ＹＥＳ）、文書配信装置２は、依頼があった「ＭＦＰ＋認証ユーザ」で、許可されている設定情報だけを入力される画面データを生成し、（ステップＳ３６）、ＭＦＰへ送り返す（ステップＳ３７）。ＭＦＰ１は、文書配信装置２から受信した画面データに基づいてオペレーションパネルに画面を表示する（ステップＳ３９）。なお、ステップＳ１５において設定情報がない場合（ステップＳ３５／ＮＯ）は、文書配信装置２は、エラー情報をＭＦＰ１に送る。ＭＦＰ１は、エラー情報を受信し（ステップＳ３８）、オペレーションパネルにエラーメッセージ等を表示する（ステップＳ３９）。
【００４０】
以上、本発明の実施例について説明したが、上記実施例に限定されるものではなく、その要旨を逸脱しない範囲において種々の変形が可能である。例えば、上記実施例では、入力機器としてＭＦＰを想定し、配信対象として文書データを扱うものとしたが、配信する情報は文書データに限られない。
【産業上の利用可能性】
【００４１】
本発明は、入力機器から入力した情報を他の機器へ配信する情報配信システム全般に適用できる。
【図面の簡単な説明】
【００４２】
【図１】本発明の実施例１に係る構成を示すブロック図である。
【図２】本発明の実施例１に係る動作を示すフローチャートである。
【図３】本発明の実施例１に係る動作を示すフローチャートである。
【図４】本発明の実施例２に係る構成を示すブロック図である。
【図５】本発明の実施例２に係る動作を示すフローチャートである。
【図６】本発明の実施例２に係る動作を示すフローチャートである。
【符号の説明】
【００４３】
１    入力機器（ＭＦＰ）
２    文書配信装置（情報配信装置の一例）
３    認証システム
４    記憶装置（データベース）
【図１】
2007034503.tif 000003
【図２】
2007034503.tif 000004
【図３】
2007034503.tif 000005
【図４】
2007034503.tif 000006
【図５】
2007034503.tif 000007
【図６】
2007034503.tif 000008